(57)【要約】【課題】  被選別物のうち、軽量物のコンベアへの張り付きを防止し、かつ重量物の軽量物側への同伴を防ぐことによって、軽量物および重量物の回収率を高め、軽量物と重量物との分離効率の向上を図ることが可能な風力選別装置を提供することにある。【解決手段】  被選別物２の投入口５を有する風洞ハウジング１と、風洞ハウジング１の内部に配設されるベルトコンベア６と、投入口５に対してコンベア６の被選別物搬送方向下流側の位置に配設され、コンベア６の被選別物搬送方向上流側へ向けて風洞ハウジング１の内部に風を送る送風機７と、風洞ハウジング１の下部側であってコンベア６の被選別物搬送方向上下流側の位置に配設され、選別された被選別物を排出する回収口８，９とを備え、風洞ハウジング１内の風上部に位置する壁面に風向偏向板１２〜１５を配設し、該風向偏向板によって、送風機７から送られる風がコンベア６上に向かうように変化させている。【選択図】        図１
2005125129.tif 000002
【特許請求の範囲】
【請求項１】
上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、
前記風洞ハウジング内の風上部に位置する壁面に風向偏向板を配設し、該風向偏向板によって、前記送風手段から送られる風が前記コンベア上に向かうように変化させたことを特徴とする風力選別装置。
【請求項２】
前記風向偏向板は、前記風洞ハウジング内の上部壁面から風下に向かって下り傾斜の角度で設けられた傾斜板を備えていることを特徴とする請求項１に記載の風力選別装置。
【請求項３】
前記傾斜板は、前記風洞ハウジング内の２箇所に設けられており、風上側傾斜板は前記コンベアの被選別物搬送方向下流側端の上方位置に配置され、風下側傾斜板は前記投入口の風上側端の下方位置に配置されていることを特徴とする請求項２に記載の風力選別装置。
【請求項４】
前記風向偏向板は、前記風洞ハウジング内の片側側壁面に設けられた側部偏向板を備えており、該側部偏向板は、上部側が下部側よりも反対側の側壁面へ向かって大きく突出し、かつ風下に向かって反対側の側壁面へ小さく突出する傾斜角度で配置されていることを特徴とする請求項１に記載の風力選別装置。
【請求項５】
前記風向偏向板は、前記送風手段のファン出口付近に設けられた前部偏向板を備えており、該前部偏向板は、前記風洞ハウジング内で幅方向に沿って間隔を開けながら配置される複数の縦板によって形成されていることを特徴とする請求項１に記載の風力選別装置。
【請求項６】
前記風向偏向板は、前記風洞ハウジング内の上部壁面から風下に向かって下り傾斜の角度で設けられた傾斜板と、前記風洞ハウジング内の片側側壁面に設けられ、上部側が下部側よりも反対側の側壁面へ向かって大きく突出し、かつ風下に向かって反対側の側壁面へ小さく突出する傾斜角度で配置された側部偏向板と、前記送風手段のファン出口付近に設けられ、前記風洞ハウジング内で幅方向に沿って間隔を開けながら配置される複数の縦板によって形成された前部偏向板とから構成されていることを特徴とする請求項１に記載の風力選別装置。
【請求項７】
前記風洞ハウジング内の風上部には、前記風洞ハウジング内のコンベア上に向けて側壁面から圧縮空気を吹き付けるエアブロー装置が配設されていることを特徴とする請求項１〜６のいずれかに記載の風力選別装置。
【請求項８】
上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、
前記風洞ハウジング内の風下端部で、前記コンベアの被選別物搬送方向上流側の上方位置に堰板を配設し、該堰板を、下端が上端に対して風上側に位置すべく傾斜して設置したことを特徴とする風力選別装置。
【請求項９】
前記堰板は、高さ調整および角度調整可能に設置されていると共に、櫛歯状に形成されており、前記堰板の下方には、前記堰板の下端と前記コンベアとの間に噛み込まれた被選別物を前記堰板の櫛歯状の隙間より掻き上げる複数の回転体が配設されていることを特徴とする請求項８に記載の風力選別装置。
【請求項１０】
上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、
前記風洞ハウジング内の下部に幅方向端部の高さ位置を調整する高さ調整手段を設け、該高さ調整手段によって、前記コンベアを被選別物搬送方向と直交する横方向に傾斜させて配置したことを特徴とする風力選別装置。
【請求項１１】
上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、
前記風洞ハウジング内の風上部に位置する壁面に風向偏向板を配設し、該風向偏向板によって、前記送風手段から送られる風が前記コンベア上に向かうように変化させ、前記風洞ハウジング内の風下端部で、前記コンベアの被選別物搬送方向上流側の上方位置に堰板を配設し、該堰板を、下端が上端に対して風上側に位置すべく傾斜して設置すると共に、前記風洞ハウジング内の下部に幅方向端部の高さ位置を調整する高さ調整手段を設け、該高さ調整手段によって、前記コンベアを被選別物搬送方向と直交する横方向に傾斜させて配置したことを特徴とする風力選別装置。
【請求項１２】
前記風洞ハウジング内の風上部には、前記風洞ハウジング内のコンベア上に向けて側壁面から圧縮空気を吹き付けるエアブロー装置が配設されていることを特徴とする請求項１１に記載の風力選別装置。
【発明の詳細な説明】
【技術分野】
【０００１】
本発明は、風力を利用して廃プラスチック品などの廃棄物等を重量物と軽量物とに選別し、これら廃棄物等のリサイクル性を向上させる風力選別装置に関するものである。
【背景技術】
【０００２】
近年、資源の再生利用や環境保全等の観点から容器包装リサイクル法が制定され、再商品化時の前処理方法がプラスチックの性状により異なるため、都市ごみ等の中より分別収集されたプラスチックごみをフィルム、発泡トレイ、パックなどの軽量物と、硬質カップ、ボトルなどの重量物とに選別し、回収することが行われている。このようなプラスチックごみの選別方法には、例えば、送風機の風力やベルトコンベアなどを利用した風洞型の選別機が使用されている（例えば、特許文献１参照）。
【特許文献１】特開平１１−１００８８号公報
【０００３】
上記選別機においては、風洞ハウジング内に投入されたプラスチックごみが、送風機からの風力により吹き飛ばされ風の流れに随伴されるフィルムなどの軽量物と、ベルトコンベアにより風の流れの向きに対して逆方向へ搬送されるボトルなどの重量物とに選別分離され、それぞれの回収口に排出されて別々に回収されるようになっている。
【発明の開示】
【発明が解決しようとする課題】
【０００４】
しかしながら、上述した従来の選別機では、処理量増大を図るべく送風機からの風の速度を上げると、風速の増大に伴ってより一層吹き飛ばされることになる軽量物の回収率を向上させることは可能となるが、重量物も風に飛ばされてしまい、重量物の回収率を低下させるトレードオフの関係を招くことになる。また、フィルムなどの軽量物は、送風機からの風によってベルトコンベアの搬送面に張り付くことがあり、一旦フィルムなどの軽量物が搬送面に密着すると、通常の風向きの気流で風速を増加させただけでは容易に剥がれにくくなるので、軽量物が重量物側に混入して排出される場合がある。したがって、選別機の分離効率向上のためには、軽量物のコンベアへの張り付きを防止すると共に、重量物の軽量物側への同伴を防ぐ必要がある。
【０００５】
本発明はこのような実状に鑑みてなされたものであって、その目的は、被選別物のうち、軽量物のコンベアへの張り付きを防止し、かつ重量物の軽量物側への同伴を防ぐことによって、軽量物および重量物の回収率を高め、軽量物と重量物との分離効率の向上を図ることが可能な風力選別装置を提供することにある。
【課題を解決するための手段】
【０００６】
上記従来技術の有する課題を解決するために、請求項１の本発明では、上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、前記風洞ハウジング内の風上部に位置する壁面に風向偏向板を配設し、該風向偏向板によって、前記送風手段から送られる風が前記コンベア上に向かうように変化させている。
【０００７】
請求項２の本発明では、請求項１の発明において、前記風向偏向板が、前記風洞ハウジング内の上部壁面から風下に向かって下り傾斜の角度で設けられた傾斜板を備えている。
【０００８】
請求項３の本発明では、請求項２の発明において、前記傾斜板が、前記風洞ハウジング内の２箇所に設けられており、風上側傾斜板は前記コンベアの被選別物搬送方向下流側端の上方位置に配置され、風下側傾斜板は前記投入口の風上側端の下方位置に配置されている。
【０００９】
請求項４の本発明では、請求項１の発明において、前記風向偏向板が、前記風洞ハウジング内の片側側壁面に設けられた側部偏向板を備えており、該側部偏向板は、上部側が下部側よりも反対側の側壁面へ向かって大きく突出し、かつ風下に向かって反対側の側壁面へ小さく突出する傾斜角度で配置されている。
【００１０】
請求項５の本発明では、請求項１の発明において、前記風向偏向板が、前記送風手段のファン出口付近に設けられた前部偏向板を備えており、該前部偏向板は、前記風洞ハウジング内で幅方向に沿って間隔を開けながら配置される複数の縦板によって形成されている。
【００１１】
請求項６の本発明では、請求項１の発明において、前記風向偏向板が、前記風洞ハウジング内の上部壁面から風下に向かって下り傾斜の角度で設けられた傾斜板と、前記風洞ハウジング内の片側側壁面に設けられ、上部側が下部側よりも反対側の側壁面へ向かって大きく突出し、かつ風下に向かって反対側の側壁面へ小さく突出する傾斜角度で配置された側部偏向板と、前記送風手段のファン出口付近に設けられ、前記風洞ハウジング内で幅方向に沿って間隔を開けながら配置される複数の縦板によって形成された前部偏向板とから構成されている。
【００１２】
請求項７の本発明では、請求項１〜６の発明において、前記風洞ハウジング内の風上部に、前記風洞ハウジング内のコンベア上に向けて側壁面から圧縮空気を吹き付けるエアブロー装置が配設されている。
【００１３】
請求項８の本発明では、上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、前記風洞ハウジング内の風下端部で、前記コンベアの被選別物搬送方向上流側の上方位置に堰板を配設し、該堰板を、下端が上端に対して風上側に位置すべく傾斜して設置している。
【００１４】
請求項９の本発明では、請求項８の発明において、前記堰板が、高さ調整および角度調整可能に設置されていると共に、櫛歯状に形成されており、前記堰板の下方には、前記堰板の下端と前記コンベアとの間に噛み込まれた被選別物を前記堰板の櫛歯状の隙間より掻き上げる複数の回転体が配設されている。
【００１５】
請求項１０の本発明では、上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、前記風洞ハウジング内の下部に幅方向端部の高さ位置を調整する高さ調整手段を設け、該高さ調整手段によって、前記コンベアを被選別物搬送方向と直交する横方向に傾斜させて配置している。
【００１６】
請求項１１の本発明では、上部側に被選別物を投入する投入口を有する風洞ハウジングと、該風洞ハウジングの内部にその長手方向に沿って配設されるコンベアと、前記投入口に対して前記コンベアの被選別物搬送方向下流側の位置に配設され、前記コンベアの被選別物搬送方向上流側へ向けて前記風洞ハウジングの内部に風を送る送風手段と、前記風洞ハウジングの下部側であって前記コンベアの被選別物搬送方向上下流側の位置に配設され、選別された被選別物を排出する回収口とをそれぞれ備えた風力選別装置において、前記風洞ハウジング内の風上部に位置する壁面に風向偏向板を配設し、該風向偏向板によって、前記送風手段から送られる風が前記コンベア上に向かうように変化させ、前記風洞ハウジング内の風下端部で、前記コンベアの被選別物搬送方向上流側の上方位置に堰板を配設し、該堰板を、下端が上端に対して風上側に位置すべく傾斜して設置すると共に、前記風洞ハウジング内の下部に幅方向端部の高さ位置を調整する高さ調整手段を設け、該高さ調整手段によって、前記コンベアを被選別物搬送方向と直交する横方向に傾斜させて配置している。
【００１７】
請求項１２の本発明では、請求項１１の発明において、前記風洞ハウジング内の風上部に、前記風洞ハウジング内のコンベア上に向けて側壁面から圧縮空気を吹き付けるエアブロー装置が配設されている。
【発明の効果】
【００１８】
請求項１の発明では、風洞ハウジング内の風上部に位置する壁面に風向偏向板を配設し、該風向偏向板によって、送風手段から送られる風がコンベア上に向かうように変化させているので、風速を増大させなくても、コンベア上に張り付いたまま被選別物の重量物回収口に搬送される軽量物をめくり上げることができ、軽量物と重量物との分離効率向上を図ることができる。
【００１９】
請求項２の発明では、風向偏向板が風洞ハウジング内の上部壁面から風下に向かって下り傾斜の角度で設けられた傾斜板を備えているので、送風手段から送られる風をコンベア上に確実に向けることができる。しかも、請求項３の発明では、傾斜板が風洞ハウジング内の２箇所に設けられており、風上側傾斜板はコンベアの被選別物搬送方向下流側端の上方位置に配置され、風下側傾斜板は投入口の風上側端の下方位置に配置されているので、送風手段から送られる風をコンベア上へ向けてより一層確実にかつ効果的に向けることができる。また、風下側傾斜板は投入口からの選別空気の噴出しを防止する効果がある。
【００２０】
請求項４の発明では、風向偏向板が風洞ハウジング内の片側側壁面に設けられた側部偏向板を備えており、該側部偏向板は、上部側が下部側よりも反対側の側壁面へ向かって大きく突出し、かつ風下に向かって反対側の側壁面へ小さく突出する傾斜角度で配置されているので、送風手段から送られる風をコンベア上に確実に向けることができる。また、請求項５の発明では、風向偏向板が送風手段のファン出口付近に設けられた前部偏向板を備えており、該前部偏向板は、風洞ハウジング内で幅方向に沿って間隔を開けながら配置される複数の縦板によって形成されているので、送風手段から送られる風をコンベア幅方向に強弱をつけることが可能であり、風洞内に生じる偏流を防止することができる。
【００２１】
請求項６の発明では、風向偏向板が風洞ハウジング内の上部壁面から風下に向かって下り傾斜の角度で設けられた傾斜板と、風洞ハウジング内の片側側壁面に設けられ、上部側が下部側よりも反対側の側壁面へ向かって大きく突出し、かつ風下に向かって反対側の側壁面へ小さく突出する傾斜角度で配置された側部偏向板と、送風手段のファン出口付近に設けられ、風洞ハウジング内で幅方向に沿って間隔を開けながら配置される複数の縦板によって形成された前部偏向板とから構成されているので、送風手段から送られる風をコンベア上へ向けてより一層確実にかつ効果的に向けることができ、被選別物の軽量物回収率を上げることができる。
【００２２】
請求項７の発明では、風洞ハウジング内の風上部に、風洞ハウジング内のコンベア上に向けて側壁面から圧縮空気を吹き付けるエアブロー装置が配設されているので、吹き付けた圧縮空気によりコンベア上に張り付いた被選別物の軽量物を確実にめくり上げ、軽量物側回収口に搬送することができる。
【００２３】
請求項８の発明では、風洞ハウジング内の風下端部で、コンベアの被選別物搬送方向上流側の上方位置に堰板を配設し、該堰板を、下端が上端に対して風上側に位置すべく傾斜して設置しているので、送風手段から送られる風により飛ばされた被選別物の重量物が堰板にて軽量物側回収口に搬送されるのを防止することができる。
【００２４】
請求項９の発明では、堰板が高さ調整および角度調整可能に設置されていると共に、櫛歯状に形成されており、堰板の下方には、堰板の下端とコンベアとの間に噛み込まれた被選別物を堰板の櫛歯状の隙間より掻き上げる複数の回転体が配設されているので、被選別物の堰板およびコンベア間への噛み込みを防止できる。
【００２５】
請求項１０の発明では、風洞ハウジング内の下部に幅方向端部の高さ位置を調整する高さ調整手段を設け、該高さ調整手段によって、コンベアを被選別物搬送方向と直交する横方向に傾斜させて配置しているので、コンベアによって搬送される被選別物の重量物に対し、送風手段から送られる風の影響を少なくすることが可能となり、重量物の回収率を向上させることができる。
【００２６】
請求項１１の発明では、風洞ハウジング内の風上部に位置する壁面に風向偏向板を配設し、該風向偏向板によって、送風手段から送られる風が前記コンベア上に向かうように変化させ、風洞ハウジング内の風下端部で、コンベアの被選別物搬送方向上流側の上方位置に堰板を配設し、該堰板を、下端が上端に対して風上側に位置すべく傾斜して設置すると共に、風洞ハウジング内の下部に幅方向端部の高さ位置を調整する高さ調整手段を設け、該高さ調整手段によって、コンベアを被選別物搬送方向と直交する横方向に傾斜させて配置しているので、被選別物における軽量物と重量物との高い分離効率を確保した状態で、処理量の増大を図ることができる。
【００２７】
請求項１２の発明では、風洞ハウジング内の風上部に、風洞ハウジング内のコンベア上に向けて側壁面から圧縮空気を吹き付けるエアブロー装置が配設されているので、吹き付けた圧縮空気によりコンベア上に張り付いた被選別物の軽量物を確実にめくり上げ、軽量物側回収口に搬送することができる。
【発明を実施するための最良の形態】
【００２８】
以下、本発明に係る風力選別装置を、図面を参照しながら説明する。
【００２９】
図１は本発明の第１実施形態に係る風力選別装置を示す概念的側面図、図２は本発明の第１実施形態に係る風力選別装置を示す概念的平面図、図３は図２におけるＡ−Ａ線断面図、図４は図３におけるＢ部詳細図である。
【００３０】
本発明の第１実施形態に係る風力選別装置では、図１および図２に示す如く、風洞型の選別機によって構成されている。そして、この風力選別装置は、ほぼ筒形状に形成された風洞ハウジング１を備えており、該風洞ハウジング１内に投入された廃プラスチックごみ等の被選別物２を後述のベルトコンベアおよび送風機によって、重量物３と軽量物４とに分離するようになっている。
【００３１】
このため、本実施形態の風力選別装置は、上部側に被選別物２を投入する投入口５を有する風洞ハウジング１と、風洞ハウジング１の内部にその長手方向に沿って配設されるベルトコンベア６と、風洞ハウジング１の内部に風を送る送風機（送風手段）７と、風洞ハウジング１の下部側であってベルトコンベア６の被選別物搬送方向上下流側の位置に配設され、選別された被選別物３，４を排出する第１および第２の回収口８，９とをそれぞれ備えている。なお、投入口５は、風洞ハウジング１の長手方向の中間部分に設けられている。
【００３２】
ベルトコンベア６は、図１および図３に示す如く、被選別物２のうちで、ボトルなどの重量物３を第１の回収口８まで搬送するものであり、搬送面となる無端ベルトが一対のプーリ間に掛け渡されている。しかも、ベルトコンベア６は、図示しない電動機でプーリを回転させることによって、無端ベルトが被選別物搬送方向（図１中の矢印Ａ方向）へ循環駆動するように構成されている。
また、ベルトコンベア６は、送風機から送られる風の影響を受けにくくするために、風洞ハウジング１の一段下がった最下部に配置されており、その両端が対応する第１の回収口８と第２の回収口９に臨む長さに形成されている。そして、ベルトコンベア６の被選別物搬送方向上流側の上方位置には、風により飛ばされた重量物３が軽量物側の第２の回収口９に排出されるのを防ぐ堰板１０が配設されている。
【００３３】
送風機７は、図示しない電動機で回転するファン（回転翼）を備えており、該ファンの回転により外部から空気を取り入れ、ベルトコンベア６の上方領域で、風洞ハウジング１の一端側からベルトコンベア６の被選別物搬送方向上流側へ向けて（図１中の矢印Ｂ方向）、最適風速条件の風を送るように構成されている。このため、送風機７は、風洞ハウジング１の一端側上部であって、投入口５に対してベルトコンベア６の被選別物搬送方向（図１中の矢印Ａ方向）下流側の位置に配設されている。すなわち、ベルトコンベア６の被選別物搬送方向と送風機７の送風方向とは、互いに逆方向となるように設定されている。
また、風洞ハウジング１の他端側で、送風機７と反対側に位置する被選別物分離領域の通気部には、最軽量物と空気とを分離しながら、送風機７からの風によって飛ばされた最軽量物を下方へ搬送するメッシュコンベア１１が配設されており、該メッシュコンベア１１は、送風方向に対して傾斜配置されている。
【００３４】
一方、本発明の第１実施形態に係る風力選別装置では、風洞ハウジング１内の風上部（送風機７側寄り）に位置する壁面に風向偏向板が配設されており、送風機７から送られる風が当該風向偏向板に当たって方向を変化させ、ベルトコンベア６上に向かうように構成されている。このため、本実施形態の風向偏向板は、図１〜図３に示す如く、傾斜板１２，１３と、側部偏向板１４と、前部偏向板１５とから構成されている。しかし、風向偏向板としては、傾斜板１２，１３、側部偏向板１４および前部偏向板１５のうち、少なくとも１つを備えていれば、風向を変化させてベルトコンベア６上に張り付いた軽量物４をめくり上げることが可能である。
【００３５】
傾斜板１２，１３は、風洞ハウジング１内の上部壁面１ａから風下（矢印Ｂ方向）に向かって下り傾斜の角度で、風洞ハウジング１の長手方向へ間隔を置いて２箇所に設けられ、風洞ハウジング１内の全幅にわたって配置されている。風上側傾斜板１２は、例えば、長さＬ1が約３００ｍｍの寸法で形成され、傾斜角度λ1が約４５°で設置される板状体が用いられ、ベルトコンベア６の被選別物搬送方向下流側端の上方位置に配置されている。また、風下側傾斜板１３は、例えば、長さＬ2が約３００ｍｍの寸法で形成され、傾斜角度λ2が約３０°で設置される板状体が用いられ、投入口５の風上側端の下方位置に配置されている。傾斜板１２，１３の長さＬおよび傾斜角度λは、風洞ハウジング１の長さ、送風機７の出力、投入口５の大きさなどの条件により任意に設定されるものであり、特に傾斜角度λが４５°以上および３０°以下であると、ベルトコンベア６上に送る風の方向を変化させる風量が少なくなることから、傾斜角度λは約３０〜４５°の範囲が好ましい。
【００３６】
また、側部偏向板１４は、風上側傾斜板１２の配設位置と対応する風洞ハウジング１内の片側側壁面１ｂのみに設けられ、風洞ハウジング１内の上下方向の全高にわたって配置されている。そして、側部偏向板１４は、上部側が下部側よりも反対側の側壁面１ｃへ向かって大きく突出しており、かつ風下（矢印Ｂ方向）に向かって反対側の側壁面１ｃへ小さく突出する傾斜角度で配置されている。なお、側部偏向板１４の長さおよび傾斜角度も、傾斜板１２，１３と同様、風洞ハウジング１の長さ、送風機７の出力、投入口５の大きさなどの条件により任意に設定されるものである。
【００３７】
さらに、前部偏向板１５は、送風機７のファン出口付近で傾斜板１２よりも風上側に設けられ、風洞ハウジング１内のほぼ全幅および全高にわたって配置されている。そして、前部偏向板１５は、風洞ハウジング１内で幅方向に沿って間隔を開けながら配置される複数の縦板１５ａによって形成されている。これら縦板１５ａは、角度が変えられるよう縦軸回りに回動可能に設けられており、送風機７から送られる風の向きが風洞ハウジング１の幅方向で偏向できるように構成されている。
【００３８】
また、本実施形態の風洞ハウジング１内の風上部には、風洞ハウジング１内のベルトコンベア６上に向けて片側側壁面１ｂから圧縮空気を間欠的に噴出させて吹き付けるエアブロー装置１６が配設されている。このエアブロー装置１６は、圧縮空気供給源であるポンプ１７と、圧縮空気を送給する配管１８と、片側側壁面１ｂの下部に設けられ圧縮空気を噴出させるノズル１９などを備えている。
【００３９】
本発明の第１実施形態に係る風力選別装置により廃プラスチックごみとして分別収集された被選別物２を選別するには、まず、図示しない電動機によりベルトコンベア６の無端ベルトを図１中の矢印Ａの被選別物搬送方向へ循環駆動させる。また、図示しない電動機により送風機７のファンを回転させ、被選別物搬送方向上流側（矢印Ｂ方向）へ向けて風洞ハウジング１の内部に最適風速条件の風を送る。
この状態で、プラスチックごみである被選別物２を投入口５から風洞ハウジング１内に投入すると、被選別物２の中でフィルム類などは、送風機７からの矢印Ｂ方向の風を受けて被選別物搬送方向上流側に運ばれ、軽量物４として第２の回収口９に落下して排出される。この際、軽量物４の中で平板状のトレイ類やポリ袋などが風洞ハウジング１内の途中で落下したり、飛ばされてベルトコンベア６の無端ベルトの搬送面上に載って張り付いたとしても、送風機７からの矢印Ｂ方向の風の一部が、風向偏向板を構成する傾斜板１２，１３、側部偏向板１４および前部偏向板１５に当たって風向を変化させられ、図１中の矢印Ｂａで示すようにベルトコンベア６上に送られることになるから、ベルトコンベア６の無端ベルトの搬送面上に張り付いた軽量物４がめくり上げられ、風力によって他の軽量物４と共に第２の回収口９に運ばれて排出され、最終的に回収されることになる。しかも、図４に示すように、エアブロー装置１６のノズル１９から圧縮空気がベルトコンベア６の無端ベルトの搬送面上に向けて吹き付けられているから、軽量物４が第２の回収口９側に搬送されて、重量物３と一緒に回収されることは少ない。
【００４０】
一方、被選別物２の中でボトル類の重量物３は、風洞ハウジング１内を落下し、ベルトコンベア６の無端ベルトの搬送面上に載る。そして、重量物３は、ベルトコンベア６の無端ベルトの循環移動に伴って、第１の回収口８まで矢印Ａ方向へ搬送され、第１の回収口８から落下して排出され、最終的に回収されることになる。この際、ボトル類などの重量物３が風を受けてベルトコンベア６の無端ベルト上を転がり、被選別物搬送方向上流側に運ばれても、堰板１0に当たって第２の回収口９側に落下して軽量物４と一緒に回収されることは少ない。
【００４１】
このように、本発明の第１実施形態に係る風力選別装置においては、傾斜板１２，１３、側部偏向板１４および前部偏向板１５から構成される風向偏向板やエアブロー装置１６を風洞ハウジング１内の風上部に設けているため、処理量増大を目指して送風機７による風速を上げても、風向偏向板による風向変化の風力やエアブロー装置１６で吹き付けた圧縮空気によって、ベルトコンベア６の無端ベルトの搬送面上に張り付いたまま第１の回収口８側に搬送される軽量物４をめくり上げることが可能となり、廃プラスチックごみをベルトコンベア６および送風機７によりボトル等の重量物３とフィルム等の軽量物４とに高精度に選別でき、分離効率向上を図ることができる。
【００４２】
図５および図６は本発明の第２実施形態に係る風力選別装置の概念図を示しており、上記第１実施形態と同一部位には同一符号を付して説明を省略する。
本発明の第２実施形態に係る風力選別装置が上記第１実施形態と異なるのは、図５および図６に示す如く、風洞ハウジング１内の風下端部で、ベルトコンベア６の被選別物搬送方向上流側の上方位置に途中で屈曲した断面略への字状の堰板２０を配設し、この堰板２０の前面壁２０ａを、下端が上端に対して風上側に位置すべく傾斜して設置している点である。また、堰板２０は、被選別物２の性状などに対応できるよう、高さ調整および角度調整可能に設置されていると共に、前面壁２０ａが幅方向に複数の隙間２１を有する櫛歯状に形成されている。しかも、堰板２０の下方には、前面壁２０ａの下端とベルトコンベア６の無端ベルトとの間に噛み込まれた被選別物２中の軽量物４を前面壁２０ａの櫛歯状の隙間２１より掻き上げる複数の回転体２２が配設されている。これら回転体２２は、幅方向へ沿って設置したシャフト２３に偏心した状態で取付けられており、シャフト２３の回転に伴って回転体２２は、図５の矢印Ｃで示す如く、回転しながら上下動するように構成されている。
【００４３】
このように、本発明の第２実施形態に係る風力選別装置においては、風洞ハウジング１内の風下端部で、ベルトコンベア６の被選別物搬送方向上流側の上方位置に高さ調整および角度調整可能な堰板２０を設け、堰板２０の傾斜配置した前面壁２０ａを櫛歯状に形成すると共に、櫛歯状の隙間２１より掻き上げる複数の回転体２２を配設しているため、送風機７からの風を受けて風下に運ばれた重量物３を堰板２０によって軽量物４と一緒に第２の回収口９に回収されるのを防止し、再度ベルトコンベア６により第１の回収口８まで搬送できる上、堰板２０の前面壁２０ａとベルトコンベア６の無端ベルトとの間に噛み込まれた軽量物４を回転体２２によって掻き上げ、風力により運ばれた他の軽量物４と一緒に第２の回収口９に回収することができる。
【００４４】
図７および図８は本発明の第３実施形態に係る風力選別装置の概念図を示しており、上記第１実施形態と同一部位には同一符号を付して説明を省略する。
本発明の第３実施形態に係る風力選別装置が上記第１実施形態と異なるのは、図７および図８に示す如く、風洞ハウジング１内の下部に幅方向端部の高さ位置を調整する高さ調整手段２４を設け、この高さ調整手段２４によって、ベルトコンベア６を被選別物搬送方向と直交する横方向に傾斜させて設置している点である。すなわち、ベルトコンベア６は、幅方向において、一端側の高さＨ1が他端側の高さＨ2よりも高く、傾斜面となるように設定されており、これによってボトルなどの重量物３を風洞ハウジング１の側壁面に沿った向きに並べ、送風機７からの風向（図８中の矢印Ｂ方向）に対して投影面積の少ない状態で、重量物３が第１の回収口８に搬送されるようになっている。なお、ベルトコンベア６は、高さ調整手段２４によって、幅方向の中央部を高くかつ左右両端部を低くした傾斜面となるように設定してもよい。この場合には、ボトルなどの重量物３が風洞ハウジング１の左右両側壁面に沿った向きに並べられることになる。
【００４５】
このように、本発明の第３実施形態に係る風力選別装置においては、高さ調整手段２４によって、ベルトコンベア６を被選別物搬送方向と直交する横方向に傾斜させて設置しているため、ベルトコンベア６の無端ベルトの搬送面上に落下した重量物３が幅方向の一端側から他端側に向かって転がり、図７および図８に示すように、その長手方向が風洞ハウジング１の側壁面に沿った向きに並べられることになり、送風機７からの風を受けて重量物３が鎖線で示す如く転がって風下に運ばれ、軽量物４と一緒に第２の回収口９に回収されるのを防止し、ベルトコンベア６により第１の回収口８まで搬送できる上、重量物３の回収率向上を図ることができる。
【００４６】
以上、本発明の実施の形態につき述べたが、本発明は既述の実施の形態に限定されるものではなく、本発明の技術的思想に基づいて各種の変形および変更が可能である。
【００４７】
例えば、既述の実施形態の風力選別装置では、第１実施形態の風向偏向板１２〜１５やエアブロー装置１６、第２実施形態の堰板２０や回転体２２、第３実施形態の高さ調整手段２４をそれぞれ別個に設けているが、これらを任意に組み合わせたり、あるいは、すべてを具備するように設置することも可能である。
【図面の簡単な説明】
【００４８】
【図１】本発明の第１実施形態に係る風力選別装置を示す概念的側面図である。
【図２】本発明の第１実施形態に係る風力選別装置を示す概念的平面図である。
【図３】図２におけるＡ−Ａ線断面図である。
【図４】図３におけるＢ部詳細図である。
【図５】本発明の第２実施形態に係る風力選別装置を示すもので、ベルトコンベアの被選別物搬送方向上流側付近の概念的側面図である。
【図６】本発明の第２実施形態に係る風力選別装置を示すもので、ベルトコンベアの被選別物搬送方向上流側付近の概念的平面図である。
【図７】本発明の第３実施形態に係る風力選別装置を示すもので、ベルトコンベアの概念的正面図である。
【図８】本発明の第３実施形態に係る風力選別装置を示すもので、ベルトコンベアの概念的平面図である。
【符号の説明】
【００４９】
１  風洞ハウジング
２  被選別物
３  重量物
４  軽量物
５  投入口
６  ベルトコンベア
７  送風機
８  第１の回収口
９  第２の回収口
１０  堰板
１１  メッシュコンベア
１２，１３  傾斜板
１４  側部偏向板
１５  前部偏向板
１６  エアブロー装置
１７  ポンプ
１８  配管
１９  ノズル
２０  堰板
２１  隙間
２２  回転体
２３  シャフト
２４  高さ調整手段
【図１】
2005125129.tif 000003
【図２】
2005125129.tif 000004
【図３】
2005125129.tif 000005
【図４】
2005125129.tif 000006
【図５】
2005125129.tif 000007
【図６】
2005125129.tif 000008
【図７】
2005125129.tif 000009
【図８】
2005125129.tif 000010